(57)【要約】【課題】電源を供給する配線コードを要することなく使用できるとともに、設置状態で邪魔になりずらく、無線ＬＡＮの構築に好適な無線ＬＡＮアダプターを提供する。【解決手段】アダプター本体１２と、差込みプラグ１３と、モジュラージャック（公衆網接続手段）１4とを具備する。アダプター本体１２は無線ＬＡＮのアクセスポイントとして機能する。差込みプラグ１３は、アダプター本体１２の裏面から突出して使用され、商用電源が供給されているコンセントに接続される。モジュラージャック１４は、アダプター本体１２に設けられて、公衆網に接続される。【選択図】      図２
2005079977.tif 000002
【特許請求の範囲】
【請求項１】
無線ＬＡＮのアクセスポイントとして機能するアダプター本体と、
このアダプター本体に設けられ前記アダプタ−本体の裏面に突出して使用される差込みプラグと、
前記アダプター本体に設けられた公衆網接続手段と、
を具備したことを特徴とする無線ＬＡＮアダプター。
【請求項２】
前記アダプタ−本体が栓刃差込み口を有していることを特徴とする請求項１に記載の無線ＬＡＮアダプター。
【請求項３】
前記公衆網接続手段が、モジュラージャックであることを特徴とする請求項１又は２に記載の無線ＬＡＮアダプター。
【請求項４】
電源端末及び公衆網端末が引き込まれている造営材に埋め込まれるサポートと、
このサポートに取付けられた配線器具と、
前記サポートに取付けられ、前記公衆網端末に接続される公衆網接続端子及び前記電源端末に接続される電源接続部を有して、無線ＬＡＮのアクセスポイントとして機能する無線ＬＡＮアダプターと、
を具備したことを特徴とする埋め込み型配線装置。
【発明の詳細な説明】
【技術分野】
【０００１】
本発明は、無線ＬＡＮ（Local Area Network）を構築するのに有用な無線ＬＡＮアダプター及び埋め込み型配線装置に関する。
【背景技術】
【０００２】
近年、一般住宅やオフィスなどでのＩＴ化に伴いＬＡＮ環境の無線化が進行している。この無線化のために、通常は、無線送受信を可能とするＬＡＮカード等を備えたワイヤレス対応機器との間で無線通信をするルータ等の中継器（アクセスポイント）を設置して、無線ＬＡＮを構築している。
【０００３】
従来、無線ＬＡＮを構築できる配線装置は知られていない。しかし、有線の場合に、複数台のパーソナルコンピュータをコンピュータネットワークに接続するのに適する配線器具は知られている（特許文献１参照。）。
【０００４】
この特許文献１の配線器具は、電源を分岐する機能の他にコンピュータネットワークに接続するための分岐線やモジュラープラグを備えて、いわゆるハブとして機能することができる。これにより、電源供給とコンピュータネットワークへの接続との両方が可能である。したがって、複数台のパーソナルコンピュータ間での有線での通信を行う際にパーソナルコンピュータの電源確保ができる。
【特許文献１】特開２００２−１３４２０９号公報（段落００５７−００６１、図２９−３１）
【発明の開示】
【発明が解決しようとする課題】
【０００５】
特許文献１の技術は有線対応であるので、無線ＬＡＮの構築には不適当である。
【０００６】
ところで、一般住宅での無線ＬＡＮの構築においては、前記アクセスポイントでの通信性能が充分に大きければ、アクセスポイントは１台で済むと考えられている。しかし、隣接する部屋相互間を仕切る壁、天井及び床、扉等の仕切りが、金属を含んでいたり、かなり厚い等の場合には、電波が大きく減衰し易いので、燐りの部屋に設置されたワイヤレス機器との無線通信を行うことが困難になることがある。加えて、アクセスポイントが部屋の隅に配置される場合にも、燐の部屋内のワイヤレス機器との無線通信に支障をきたし易くなることがある。こうしたことから、無線通信の信頼性を確保するには、各部屋ごとにアクセスポイントを配置することが望ましい。
【０００７】
前記ルータ等の従来のアクセスポイントは、それ自体を動作させるのに電源を供給する必要がある。このために、通常部屋内でのＬＡＮ環境上好適な位置となるように部屋の壁から離れて配置されることが多いアクセスポイントと、部屋の壁に取付けられたコンセントとは、配線コードを用いて接続される。更に、電話網やインターネット等の屋外の公衆網にアクセスポイントを接続するために、この公衆網とアクセスポイントとはＬＡＮケーブルを用いて接続される。ＬＡＮケーブルの接続において、ＬＡＮケーブルは、壁に取付けられた情報コンセントのモジュラージャック、又は公衆網に接続されて壁側に配置されるモジュラージャック付きのコネクタに接続される。
【０００８】
このように無線ＬＡＮが構築された状態でも、壁付けのコンセント等からアクセスポイントの設置場所にわたる長い配線コード及びＬＡＮケーブル等の電線が必要であるので、これらの電線を使用しないで済ませるようにするか、使用するとしても、その使用量を極力少なくすることが望まれている。特に、一般住宅では、電線を床下などに配線することができないので、なお更である。そして、各部屋ごとにアクセスポイントを配置する場合には、以上のように長い電線が部屋内毎に配線されて邪魔になり易いので、その改善が、各部屋ごとにアクセスポイントを配置して無線通信の信頼性を確保する上で望まれている。
【０００９】
本発明の目的は、電源を供給する配線コードを要することなく使用できるとともに、設置状態で邪魔になりずらく、無線ＬＡＮの構築に好適な無線ＬＡＮアダプター及び埋め込み型配線装置を提供することにある。
【課題を解決するための手段】
【００１０】
請求項１の発明の無線ＬＡＮアダプターは、無線ＬＡＮのアクセスポイントとして機能するアダプター本体と、このアダプター本体に設けられ前記アダプタ−本体の裏面に突出して使用される差込みプラグと、前記アダプター本体に設けられた公衆網接続手段と、を具備したことを特徴としている。
【００１１】
この発明で「アクセスポイント」とは、ＬＡＮカードなどが取付けられた携帯型パーソナルコンピュータ等のワイヤレス機器との間で無線通信をする機能を有している機器を指しているが、この以外の機能が付加されていてもよい。
【００１２】
又、「差込みプラグ」は、商用電源などの電源が供給されているコンセントに挿入して接続されるものを指している。この差込みプラグは、アダプター本体に対して固定的に設けられていてもよい。或いは、アダプター本体の外郭をなす本体ケース内に収まる位置とアダプタ−本体の裏面から突出する使用位置とにわたってアダプター本体の表裏方向に沿って移動可能に設けられていてもよい。若しくは、アダプター本体の外郭をなす本体ケース内に収まる位置とアダプタ−本体の裏面から突出する使用位置とにわたって回動可能に設けられていてもよい。
【００１３】
更に、「公衆網接続手段」とは、電話網や既に構築されているＬＡＮ環境等の公衆網に接続し、インターネットや同一のＬＡＮ環境における様々なＬＡＮ接続機器に接続するための手段を指しており、請求項３の発明の態様で実施できるだけではなく、以下の態様も採用できる。例えば、アダプター本体に一端が固定的に接続され、他端にモジュラープラグを有するＬＡＮケーブルでもよい。或いは、両端にモジュラープラグを有して、その内の一方がアダプター本体に着脱可能に接続されるＬＡＮケーブルであってもよい。更に、無線ＬＡＮアダプターの接続対象が情報コンセントである場合には、このコンセントが有するモジュラージャックに差込み接続されるモジュラープラグを、アダプター本体の裏面に突設して、このモジュラープラグを公衆網接続手段とすることもできる。なお、ここに「情報コンセント」とは、栓刃差込み口の他に公衆網に接続されたモジュラージャックを有したコンセントを指している。
【００１４】
請求項１の発明の無線ＬＡＮアダプターは、その差込みプラグを、接続対象のコンセント例えば部屋の壁に取付けられている壁付けコンセント等に差し込むことにより、配線コードを要することなく、部屋の壁内に引き込まれている電源端末と接続して、部屋の壁際に沿わせて邪魔にならないように設置できる。設置された無線ＬＡＮアダプターは、その公衆網接続手段を用いて、壁内に引き込まれている公衆網端末と接続できる。これにより、電源端末と接続されたアダプター本体を動作させて、部屋内のワイヤレス機器との間で無線通信をする無線ＬＡＮ環境を構築できる。
【００１５】
そして、この無線ＬＡＮ環境では、既述のように電源端末及び公衆網端末と無線ＬＡＮアダプターとを接続する電線を要しないか、又は、最小限の長さのＬＡＮケーブルで済み、最小長さのＬＡＮケーブルを使用する場合も、このケーブルは壁に沿うように配線される。これにより、ワイヤレス機器が設置されている各部屋の夫々のコンセントに無線ＬＡＮアダプターを差込み接続して、無線ＬＡＮ環境の構築を促し易くなるので、こうして各部屋毎に無線ＬＡＮアダプターを設置する場合には、１台の無線ＬＡＮアダプター毎にそれが設置された部屋内での無線通信の信頼性を確保できる。
【００１６】
請求項２の発明の無線ＬＡＮアダプターは、前記アダプタ−本体が栓刃差込み口を有していることを特徴としている。ここに栓刃差込み口は１以上設けられる。この発明で、栓刃差込み口とは、プラグの栓刃が通る一対の開口だけではなく、これらの開口に個別に対向して設けられ開口に通されるプラグの栓刃を受ける栓刃受け金具を含んでいる。
【００１７】
請求項２の発明では、無線ＬＡＮアダプターによりこれが差込み接続されたコンセントの栓刃受け口に、他の電気機器を接続することができなくなるにも拘らず、アダプタ−本体の栓刃差込み口を通じて、この差込み口に接続される他の電気機器への通電ができる。
【００１８】
請求項３の発明の無線ＬＡＮアダプターは、前記公衆網接続手段が、モジュラージャックであることを特徴としている。
【００１９】
この請求項３の発明では、無線ＬＡＮアダプターのモジュラージャックにＬＡＮケーブルを差込み接続できる。このため、無線ＬＡＮアダプターが接続されるコンセントから離れた位置に、公衆網端末に接続されたモジュラージャックがある場合に、前記ＬＡＮケーブルを介して無線ＬＡＮアダプターと公衆網端末とを接続できる。
【００２０】
請求項４の発明の埋め込み型配線装置は、電源端末及び公衆網端末が引き込まれている造営材に埋め込まれるサポートと、このサポートに取付けられた配線器具と、前記サポートに取付けられ、前記公衆網端末に接続される公衆網接続端子及び前記電源端末に接続される電源接続部を有して、無線ＬＡＮのアクセスポイントとして機能する無線ＬＡＮアダプターと、を具備したことを特徴としている。
【００２１】
この発明で、「配線器具」とはスイッチやコンセント等を指している。又、「サポート」は、配線器具及びアダプター本体を支持する部材である。
【００２２】
この発明の埋め込み型配線装置が備える無線ＬＡＮアダプターは、公衆網端末に接続される公衆網接続端子及び電源端末に接続される電源接続部を有している。この発明の埋め込み型配線装置は、この装置が埋め込み配置される部屋の壁内で、その公衆網接続端子に公衆網端末を接続するとともに、電源接続部に電源端末を接続して、部屋内に配線器具及び無線ＬＡＮアダプターの正面を露出させて部屋の壁に埋め込まれる。これにより、電源供給用の配線コード及び通信用のＬＡＮケーブルを要することなく、壁内の電源端末及び公衆網端末と接続して、部屋内に対して邪魔にならないように配線装置を設置できる。こうした設置により、部屋の壁内で電源端末と接続されたアダプター本体を動作させて、部屋内のワイヤレス機器との間で無線通信をする無線ＬＡＮ環境を構築できる。
【００２３】
そして、この無線ＬＡＮ環境では、既述のように電源端末及び公衆網端末と配線装置の無線ＬＡＮアダプターとを接続する電線を要しないことにより、ワイヤレス機器が設置されている各部屋の夫々について無線ＬＡＮ環境の構築を促し易くなるので、こうして各部屋毎に無線ＬＡＮアダプターを備えた配線装置が設置される場合には、１台の無線ＬＡＮアダプター毎にそれが設置された部屋内での無線通信の信頼性を確保できる。
【発明の効果】
【００２４】
請求項１の発明によれば、コンセントに直接接続されるので、電源を供給する配線コードを要することなく使用できるとともに、部屋の壁面等に沿わせて設置されるので邪魔になりずらい等、無線ＬＡＮの構築に好適な無線ＬＡＮアダプターを提供できる。
【００２５】
請求項２の発明によれば、アダプタ−本体でこの本体が接続されるコンセントを被うにも拘らず、必要に応じてアダプタ−本体の栓刃差込み口に接続されるに他の電気機器に、アダプター本体を介して電源を供給することが可能な無線ＬＡＮアダプターを提供できる。
【００２６】
請求項３の発明によれば、無線ＬＡＮアダプターが接続されるコンセントから離れた位置に、公衆網端末に接続されたモジュラージャックがある場合に、前記コンセントに差込み接続されたアダプタ−本体と公衆網端末とをＬＡＮケーブルを介してＬＡＮ環境を構築できる無線ＬＡＮアダプターを提供できる。
【００２７】
請求項４の発明によれば、部屋の壁内で電源端末及び公衆網端末と直接接続して部屋の壁に埋め込まれるので、邪魔になりずらく、かつ、電源用及び通信用の電線を要することなく使用できる等、無線ＬＡＮの構築に好適な埋め込み型配線装置を提供できる。
【発明を実施するための最良の形態】
【００２８】
図１〜図３を参照して本発明の第１の実施形態を説明する。
【００２９】
図１及び図３中符号１は例えば一般住宅の部屋の壁に装着されたコンセント例えば情報コンセントを示している。このコンセント１は、１以上、好ましくは複数例えば３つの栓刃差込み口２、３、４を上下方向に並べて有しているとともに、１以上、好ましくは複数例えば３つのモジュラージャック５、６、７を上下方向に並べて有している。なお、本明細書で、各栓刃差込み口とは、開口だけではなく、この開口に対向して設けられて開口に通されるプラグの栓刃を受ける栓刃受け金具を含んでいる。
【００３０】
造営材である壁内には、屋外の送電網の端末、つまり、電源端末が引き込まれているとともに、公衆網端末である電話網端末及び及びインターネット端末が夫々引き込まれている。送電網は例えば１００Ｖの商用交流電源を導いており、その電源端末は栓刃差込み口２、３、４に接続されている。栓刃差込み口２、３、４には、部屋内の図示しない各種電気機器に対する電源を供給するために、この電気機器に接続された図示しない配線コード先端の電源プラグが、挿脱自在に差込み接続される。
【００３１】
電話網端末は、例えば最も上位置のモジュラージャック５と、この真下に隣接した中間位置のモジュラージャック６に接続されている。これら電話用のモジュラージャック５、６には、図示しない電話機に接続された電話用モジュラーコード（図示しない）のモジュラープラグが挿脱自在に差込み接続される。
【００３２】
インターネット端末は例えば最も下位置のモジュラージャック７に接続されている。このインターネット用のモジュラージャック７には、例えば図１に示す第１のモジュラーコード８がその一端に有したモジュラープラグ８ａが、挿脱自在に差込み接続される。
【００３３】
なお、インターネット端末は、宅内で有線のＬＡＮ環境が構築されている場合には、このＬＡＮ環境への接続手段ともなる。そして、この場合には、ＬＡＮ環境へ接続されている様々なＬＡＮ接続機器とも接続することができる。
【００３４】
次に、第１実施形態に係る無線ＬＡＮアダプター（以下アダプターと略称する。）１１を図２及び図３を参照して説明する。アダプター１１は、アダプター本体１２と、差込みプラグ１３と、公衆網接続手段として１以上好ましくは複数例えば一対のモジュラージャック１４、１５と、１以上好ましくは複数例えば一つの栓刃差込み口１６とを備えている。
【００３５】
アダプター本体１２は、正面視四角形状をなす本体ケース１２ａを有している。本体ケース１２ａは、アダプター１１を情報コンセント１に取付けた際に、モジュラージャック５、６、７の列に重ならない（被わない）大きさに作られている。この本体ケース１２ａにはＬＡＮ信号を処理する信号処理部１２ｂ等が内蔵されている。この信号処理部１２ｂでの信号処理により、アダプター本体１２は無線ＬＡＮのアクセスポイントとして機能でき、無線ＬＡＮ信号を授受するためのアンテナ部１２ｃが本体ケース１２ａの表側例えば正面に露出して設けられている。なお、アダプター１１等とともに無線ＬＡＮを構築するための部屋内に設置されるワイヤレス対応機器１８（図１参照）は、無線信号を授受できる無線対応型の電気機器であって、例えばパーソナルコンピュータ、携帯電話、プロジェクタ、プリンタ、スキャナ、ＰＤＡ、モニタカメラ、ビデオカメラ、デジタルテレビ等を挙げることができる。
【００３６】
差込みプラグ１３は本体ケース１２ａの裏面に例えば固定的に突設されている。この差込みプラグ１３は信号処理部１２ｂ等に対し電源を供給するものである。信号処理部１２ｂに対してはアダプター本体１２に内蔵されている図示しない降圧回路部を経て電源が供給される。
【００３７】
図２に示すように一対のモジュラージャック１４、１５は、本体ケース１２ａの例えば幅方向の側面に個別に開口して設けられている。なお、これらのモジュラージャック１４、１５は、非使用状態では着脱自在な蓋で閉じられているので、図２では蓋がある位置で指し示されている。一方のモジュラージャック１４は信号処理部１２ｂに接続されているとともに、このジャック１４には前記第１のモジュラーコード８（図１参照）がその他端に有したモジュラープラグ８ｂが挿脱自在に差込み接続される。モジュラーコード８は、モジュラージャック１４を省略する代わりに、ＬＡＮ用の前記モジュラージャック７に接続されるモジュラープラグ８ａを一端だけに有したモジュラーコード８を、信号処理部１２ｂに対して取外しができないように直接接続して、このコード８を本体ケース１２ａ外に引出すこともできる。この場合には、モジュラーコード８をもって公衆網接続手段として機能させることができる。
【００３８】
他方のモジュラージャック１５は、信号処理部１２ｂを経由することなく公衆網接続手段である前記一方のモジュラージャック１４に接続されている。この他方のモジュラージャック１５には、第２のモジュラーコード１７がその一端に有したモジュラープラグ１７ａが挿脱自在に差込み接続される。モジュラーコード１７がその他端に有した他のモジュラープラグ１７ｂは有線で送信を行う非ワイヤレス型の有線対応機器１９が有するモジュラージャック（図示しない）に挿脱自在に差込み接続される。この他方のモジュラージャック１５は省略することが可能である。
【００３９】
栓刃差込み口１６は本体ケース１２ａの外面例えば正面に開口されている。栓刃差込み口１６は差込みプラグ１３に電気的に接続されている。アダプター１１が情報コンセント１接続された状態では、栓刃差込み口１６に電源が供給される。この栓刃差込み口１６には部屋内に設置された電気機器の配線コード先端のプラグが挿脱自在に差込み接続される。このため、栓刃差込み口１６を通じて有線対応機器１９（図１参照）に接続して、これへの電源供給も可能である。
【００４０】
以上のようにアダプター１１は、無線通信用のアダプター本体１２に、栓刃差込み口１６とモジュラージャック１５とを設けているので、ハブとして機能することができる。この場合、前者で無線ＬＡＮ環境に適用できるとともに、後者で有線ＬＡＮ環境に適用できる。このため、アダプター１１は、ワイヤレス対応機器１８と有線対応機器１９との双方の内の少なくとも一方に適用することができ、例えば有線対応型の既存のパーソナルコンピュータと、無線通信ができるパーソナルコンピュータとが部屋内に共に設置されている場合等に、ＬＡＮ環境を構築するのにも適合できる。
【００４１】
前記構成のアダプター１１は、壁付けの情報コンセント１に接続されることにより、部屋の壁に沿って邪魔にならないように取付けて使用される。すなわち、アダプター１１は、その差込みプラグ１３を、壁付けの情報コンセント１の最も下位置の栓刃差込み口４に差込み接続し、かつ、第１のモジュラーコード８の一方のモジュラープラグ８ａを、栓刃差込み口４の真横に対応して配置されているモジュラージャック７に接続するとともに、他方のモジュラープラグ８ｂをモジュラージャック１４に接続して使用される。
【００４２】
この使用状態では、情報コンセント１に接続された差込みプラグ１３を通じて信号処理部１２ｂへの電源供給がなされるので、情報コンセント１とアダプター１１とを接続する配線コードを要しない。そして、このアダプター１１は、栓刃差込み口４の真横に位置する至近距離のＬＡＮ用モジュラージャック７にモジュラーコード８を介して接続されるので、モジュラーコード８に必要な長さは極めて短くて良く、このコード８が部屋内を長く配線されることがない。
【００４３】
このように電源供給用の配線コードを要しないとともに、最短の長さしか要さないモジュラーコード８も壁沿いに設けられるので、アダプター１１を使用するための電線が、部屋内を移動する人間等にとって邪魔にならない。こうした事情から、ワイヤレス対応機器１８が設置されている部屋の夫々にアダプター１１を壁付けして設けることを促進し易い。これにより、各部屋毎に１台のアダプター１１を壁付けして、無線ＬＡＮ環境を構築する場合には、その信号授受の信頼性を向上できる。
【００４４】
以上のようにアダプター１１が設置された部屋内での無線ＬＡＮ環境においては、アダプター本体１２が無線ＬＡＮのアクセスポイントとして機能する。このため、部屋内に設置されているワイヤレス対応機器１８とアダプター１１のアダプター本体１２との間で、無線による信号の授受が行われる。
【００４５】
又、壁付けされたアダプター１１によって、情報コンセント１の一つの栓刃差込み口４が被われてしまうので、この栓刃差込み口４には他の電気機器は接続できない。しかし、アダプター１１には栓刃差込み口４に差込み接続された差込みプラグ１３を通じて電源が導かれる栓刃差込み口１６を有しているので、この差込み口１６を用いて他の電気機器への給電を行うことができる。そして、この栓刃差込み口１６を通じて有線対応機器１９に電源を供給した上で、アダプター１１のモジュラージャック１５と有線対応機器１９の図示しないモジュラージャックとをモジュラーコード１７を用いて接続することにより、有線ＬＡＮを構築することができる。
【００４６】
なお、以上説明した第１実施形態のアダプター１１が差込み接続されるコンセントは、公衆網端末と接続されるモジュラージャックを有さない一般的なコンセントであっても良い。この場合に、一般的なコンセントから離れた位置にあって公衆網端末と接続されたモジュラージャックとの接続は、前記離れた長さに対応する長さを有した第１のモジュラーコード８を用いて行えばよい。
【００４７】
又、アンテナ部１２ｃは本実施形態で示した態様に限定されず、例えば本体ケース１２ａと一体となって設けれられていてもよく、アンテナ部として機能すればいかなる構成であってもよい。
【００４８】
図４及び図５は本発明の第２の実施形態を示している。この実施形態は基本的には第１実施形態と同じであるので、第１実施形態と機能が同じ構成については同一符号を付してその説明を省略し、第１実施形態とは異なる構成を以下説明する。
【００４９】
アダプター本体１２の本体ケース１２ａは、情報コンセント１の栓刃差込み口２、３、４の列と、モジュラージャック５、６、７の列とにわたって跨る幅（モジュラージャック１４、１５が設けられている両側壁間の寸法）を有している。本体ケース１２ａの裏面には、差込みプラグ１３と並べて公衆網接続手段をなすモジュラープラグ２１が突設されている。このモジュラープラグ２１は、信号処理部１２ｂに電気的に接続されていて、情報コンセント１のＬＡＮ用モジュラージャック７に直接差込み接続される。これにより、ＬＡＮ側のアダプター１１と公衆網側の情報コンセント１との接続においてモジュラーコードを要しないので、アダプター１１を機能させるための電線を全く必要としない構成とでき、アダプター１１回りの配線環境をすっきりとできる点で優れている。
【００５０】
また、モジュラープラグ２１は、本体ケース１２ａから着脱自在ないし本体ケース１２ａ内に収容可能に設けられている。このように設けることで、情報コンセント１とアダプター本体１２との取付けピッチなどが合わない場合に対応することができる。
【００５１】
アダプター本体１２には、その本体ケース１２ａの例えば正面に露出して他のモジュラージャック２２が少なくとも一つ設けられている。このジャック２２により、アダプター１１に接続できる有線対応機器を増やすことができる点で優れている。
【００５２】
以上説明した事項以外の構成は第１実施形態と同じである。したがって、この第２実施形態においても本発明の課題を解決することができる。
【００５３】
図６〜図８は本発明の第３の実施形態を示している。
【００５４】
図６中符号３１は例えば一般住宅の壁に埋め込んで装着された埋め込み型配線装置を示している。この配線装置３１は、サポート３２と、無線ＬＡＮアダプター（以下アダプターと略称する。）３３と、化粧カバー３４とを備えている。
【００５５】
図７及び図８に示すサポート３２は、亜鉛クロマイトメッキが施された鉄（ＳＰＣＣ）等の金属製であり、複数の取付け孔３２ａを有している。このサポート３２は、一般家屋の壁等の造営材に埋め込まれている配線ボックス（図示しない）に、各取付け孔３２ａを通ってねじ込まれる図示しないねじを介して固定される。サポート３２は、その幅方向に並ぶ一対の略長方形状の開口（図示しない）を有している。
【００５６】
これらの開口の内の一方を塞いでサポート３２には配線器具例えばコンセント３５が取付けられている。このコンセント３５は、１以上、好ましくは複数例えば３つの栓刃差込み口３５ａ、３５ｂ、３５ｃを上下方向に並べて有している。コンセント３５には、部屋内の図示しない各種電気機器に対する電源を供給するために、この電気機器に接続された図示しない配線コード先端の電源プラグが、挿脱自在に差込み接続される。
【００５７】
アダプター３３はサポート３２に取付けられている。アダプター３３は、サポート３２と略同じ幅でこのサポート３２の裏面に取付け配置される本体ケース３３ａと、この本体ケース３３ａの正面から突出されてサポート３２の前記図示しない他方の開口に通されたケース凸部３３ｂとを有している。図８に示すようにアダプター３３の裏面の幅方向中央部には上下方向に延びる電気絶縁性の仕切り壁３６が突設されている。
【００５８】
アダプター３３には、その仕切り壁３６を境にコンセント３５側の裏面に位置して電源接続部３７が設けられている。この電源接続部３７を通じてコンセント３５の各栓刃差込み口３５ａ、３５ｂ、３５ｃの図示しない栓刃受け金具に電源が供給されている。又、造営材である壁内には、屋外の送電網につらなる電源端末が引き込まれている。送電網は例えば１００Ｖの商用交流電源を導いており、その電源端末は前記配線ボックス内で電源接続部３７と接続される。
【００５９】
本体ケース３３ａにはＬＡＮ信号を処理する信号処理部３３ｃ（図６参照）が内蔵されている。この信号処理部３３ｃでの信号処理により、アダプター３３は部屋内に設置されたワイヤレス対応機器に対する無線ＬＡＮのアクセスポイントとして機能でき、無線ＬＡＮ信号を授受できる。
【００６０】
本体ケース３３ａの仕切り壁３６を境にケース凸部３３ｂ側の裏面には、電話用の公衆網接続端子３８と、インターネット用の公衆網接続端子３９とが夫々設けられている。造営材である壁内には、屋外の公衆網端末である電話網端末及び及びインターネット端末が夫々引き込まれている。電話網端末は前記配線ボックス内で公衆網接続端子３８に接続され、インターネット端末は前記配線ボックス内で公衆網接続端子３９に接続される。仕切り壁３６は、公衆網接続端子３８、３９に接続された電話回線線及びインターネット回線と、電源接続部３７に接続された電線とが、前記配線ボックス内で混って接触しないように分けるようになっている。
【００６１】
本体ケース３３ａには、その上部に位置する電話用のモジュラージャック４１と、下部に位置するインターネット用のモジュラージャック４２と、これら両ジャック４１、４２間に位置するアンテナ部４３とが夫々設けられている。これらはいずれもケース凸部３３ｂの表面に露出されている。電話用のモジュラージャック４１には、図示しない電話機に接続された電話用モジュラーコード（図示しない）のモジュラープラグが挿脱自在に差込み接続される。インターネット用のモジュラージャック４２には、ＬＡＮケーブル（図示しない）を介して図示しない有線対応機器が接続される。このモジュラージャック４２は信号処理部３３ｃを経由することなく公衆網接続端子３９に接続されている。モジュラージャック４２は省略することも可能であるが、このジャック４２を備えることにより、既述のように有線対応のＬＡＮ環境の構築にも配線装置３１を適合させることができる点で優れている。
【００６２】
合成樹脂製の化粧カバー３４は、コンセント３５及びケース凸部３３ｂを露出させてサポート３２の正面を被っており、このサポート３２のねじ孔３２ｂ（図７及び図８参照）にねじ４４（図１参照）により取付けられている。
【００６３】
無線ＬＡＮ用のアダプター３３を備えた前記配線装置３１は、一般家屋の壁内に引き込まれている電源端末と電源接続部３７とを接続してアダプター３３に電源を供給するとともに、壁内に引き込まれているインターネット端末とインターネット用の公衆網接続端子３９とを接続して、壁等に埋め込み設置して使用される。
【００６４】
このため、部屋の壁面に対する配線装置３１の突出が殆どないとともに、壁面に化粧カバー３４が沿って設けられる。これにより、アダプター３３を使用するための電線を全く要することなく、部屋内を移動する人間等にとって邪魔にならない取り付け状態で配線装置３１を使用できる。こうした事情から、ワイヤレス対応機器１８が設置されている部屋の夫々にアダプター３３を備える配線装置３１を壁内に設けることを促進し易く、各部屋毎に１台のアダプター３３付きの配線装置３１を壁内に設けることにより、無線ＬＡＮ環境を構築して、その信号授受の信頼性を向上できる。
【００６５】
以上のようにアダプター３３付きの配線装置３１が部屋の壁内に設置された部屋内での無線ＬＡＮ環境においては、配線装置３１のアダプター３３が無線ＬＡＮのアクセスポイントとして機能する。このため、部屋内に設置されているワイヤレス対応機器と配線装置３１のアダプター３３との間で、無線による信号の授受が行われる。
【００６６】
又、配線装置３１は、配線器具としてコンセント３５を備えるとともに、アダプター３３にモジュラージャック４１、４２が設けられているので、この配線装置３１を情報コンセントとして使用することができる。しかも、インターネット用のモジュラージャック４２を有しているので、このモジュラージャック４２と有線対応機器の図示しないモジュラージャックとをモジュラーコードを用いて接続することにより、有線ＬＡＮを構築することも可能である。
【図面の簡単な説明】
【００６７】
【図１】本発明の第１の実施形態に係る無線ＬＡＮアダプターが情報コンセントに取付けられた状態を示す正面図。
【図２】図１の無線ＬＡＮアダプターを示す斜視図。
【図３】図１の無線ＬＡＮアダプターが取付けられる情報コンセントを例示する正面図。
【図４】本発明の第２の実施形態に係る無線ＬＡＮアダプターが情報コンセントに取付けられた状態を示す正面図。
【図５】図４の無線ＬＡＮアダプターを示す斜視図。
【図６】本発明の第３の実施形態に係る埋め込み型配線装置を示す正面図。
【図７】図６の配線装置のサポート及びこれに取付けられた無線ＬＡＮアダプタ−を表面側から見て示す斜視図。
【図８】図６の配線装置のサポート及びこれに取付けられた無線ＬＡＮアダプタ−を裏面側から見て示す斜視図。
【符号の説明】
【００６８】
１…情報コンセント、８…モジュラーコード、１１…無線ＬＡＮアダプター、１２…アダプター本体、１２ａ…本体ケース、１２ｂ…信号処理部、１２ｃ…アンテナ部、１３…差込みプラグ、１４…モジュラージャック（公衆網接続手段）、１６栓刃差込み口、３１…埋め込み型配線装置、３２…サポート、３３…無線ＬＡＮアダプター、、３３ａ…本体ケース、３３ｃ…信号処理部、３５…コンセント（配線器具）、３７…電源接続部、３９…インターネット用の公衆網接続端子、４３…アンテナ部
【図１】
2005079977.tif 000003
【図２】
2005079977.tif 000004
【図３】
2005079977.tif 000005
【図４】
2005079977.tif 000006
【図５】
2005079977.tif 000007
【図６】
2005079977.tif 000008
【図７】
2005079977.tif 000009
【図８】
2005079977.tif 000010